【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
印刷設定に従ったダイレクト印刷を行う機能を有する画像形成装置であって、
前記画像形成装置がダイレクト印刷を実行可能な状態にあるか否かを判別する状態判別手段と、
印刷設定の変更の指示を検出する検出手段と、
前記状態判別手段により、前記画像形成装置がダイレクト印刷を実行不能な状態にあると判別されている際に前記検出手段によって前記印刷設定の変更の指示が検出された場合には、前記指示によって変更された印刷設定を現在の印刷設定に反映させるとともに恒久設定として保存し、前記状態判別手段により、前記画像形成装置がダイレクト印刷を実行可能な状態にあると判別されている際に前記検出手段によって前記印刷設定の変更の指示が検出された場合には、前記指示によって変更された印刷設定を前記恒久設定として保存せずに前記現在の印刷設定に反映させる設定変更手段と、
ダイレクト印刷の実行指示があると、前記現在の印刷設定に従ってダイレクト印刷を実行する印刷実行手段と、
前記画像形成装置が前記ダイレクト印刷を実行可能な状態から実行不能な状態になると、前記恒久設定で前記現在の印刷設定を更新する設定復帰手段とを有することを特徴とする画像形成装置。
【請求項２】
着脱可能な記憶媒体を装着可能な装着手段をさらに有し、
前記状態判別手段が、前記装着手段に前記記憶媒体が装着されている場合に、前記画像形成装置が前記ダイレクト印刷を実行可能な状態にあるものと判別し、前記装着手段に前記記録媒体が装着されていない場合に、前記画像形成装置が前記ダイレクト印刷を実行不能な状態にあるものと判別することを特徴とする請求項１記載の画像形成装置。
【請求項３】
前記ダイレクト印刷に対応した外部装置を接続するための接続手段をさらに有し、
前記状態判別手段が、前記接続手段に前記外部装置が接続されている場合に、前記画像形成装置が前記ダイレクト印刷を実行可能な状態にあるものと判別し、前記接続手段に前記外部装置が接続されていない場合に、前記画像形成装置が前記ダイレクト印刷を実行不能な状態にあるものと判別することを特徴とする請求項１記載の画像形成装置。
【請求項４】
前記接続手段に接続された前記外部装置の装置固有情報を取得する取得手段をさらに有し、
前記設定変更手段が、
前記状態判別手段により、前記画像形成装置が前記ダイレクト印刷を実行可能な状態にあると判別されている際に前記検出手段によって前記印刷設定の変更の指示が検出された場合、前記指示によって変更された印刷設定を、前記装置固有情報と対応づけて前記恒久設定とは別の印刷設定として保存することを特徴とする請求項３記載の画像形成装置。
【請求項５】
前記設定変更手段はさらに、
前記取得手段が前記装置固有情報を取得した際、前記装置固有情報に対応づけられた印刷設定が保存されている場合には、当該保存されている印刷設定で前記現在の印刷設定を更新することを特徴とする請求項４記載の画像形成装置。
【請求項６】
印刷設定に従ったダイレクト印刷を行う機能を有する画像形成装置の制御方法であって、
前記画像形成装置がダイレクト印刷を実行可能な状態にあるか否かを判別する状態判別工程と、
印刷設定の変更の指示を検出する検出工程と、
前記状態判別工程により、前記画像形成装置がダイレクト印刷を実行不能な状態にあると判別されている際に前記検出工程によって前記印刷設定の変更の指示が検出された場合には、前記指示によって変更された印刷設定を現在の印刷設定に反映させるとともに恒久設定として保存し、前記状態判別工程により、前記画像形成装置がダイレクト印刷を実行可能な状態にあると判別されている際に前記検出工程により前記印刷設定の変更の指示が検出された場合には、前記指示によって変更された印刷設定を前記恒久設定として保存せずに前記現在の印刷設定に反映させる設定変更工程と、
ダイレクト印刷の実行指示があると、前記現在の印刷設定に従ってダイレクト印刷を実行する印刷実行工程と、
前記画像形成装置が前記ダイレクト印刷を実行可能な状態から実行不能な状態になると、前記恒久設定で前記現在の印刷設定を更新する設定復帰工程とを有することを特徴とする画像形成装置の制御方法。
【請求項７】
前記画像形成装置が、着脱可能な記憶媒体を装着可能な装着手段を有し、
前記状態判別工程が、前記装着手段に前記記録媒体が装着されている場合に、前記画像形成装置が前記ダイレクト印刷を実行可能な状態にあるものと判別し、前記装着手段に前記記録媒体が装着されていない場合に、前記画像形成装置が前記ダイレクト印刷を実行不能な状態にあるものと判別することを特徴とする請求項６記載の画像形成装置の制御方法。
【請求項８】
前記画像形成装置が、前記ダイレクト印刷に対応した外部装置を接続するための接続手段を有し、
前記状態判別工程が、前記接続手段に前記外部装置が接続されている場合に、前記画像形成装置が前記ダイレクト印刷を実行可能な状態にあるものと判別し、前記接続手段に前記外部装置が接続されていない場合に、前記画像形成装置が前記ダイレクト印刷を実行不能な状態にあるものと判別することを特徴とする請求項６記載の画像形成装置の制御方法。
【請求項９】
前記接続手段に接続された前記外部装置の装置固有情報を取得する取得工程をさらに有し、
前記設定変更工程が、
前記状態判別工程により、前記画像形成装置が前記ダイレクト印刷を実行可能な状態にあると判別されている際に前記検出工程によって前記印刷設定の変更の指示が検出された場合、前記指示によって変更された印刷設定を、前記装置固有情報と対応づけて前記恒久設定とは別の設定として保存することを特徴とする請求項８記載の画像形成装置の制御方法。
【請求項１０】
前記設定変更工程はさらに、
前記取得工程が前記装置固有情報を取得した際、前記装置固有情報に対応づけられた印刷設定が保存されている場合には、当該保存されている印刷設定で前記現在の印刷設定を更新することを特徴とする請求項９記載の画像形成装置の制御方法。
【手続補正２】
【補正対象書類名】明細書
【補正対象項目名】００１０
【補正方法】変更
【補正の内容】
【００１０】
上述の目的は、印刷設定に従ったダイレクト印刷を行う機能を有する画像形成装置であって、画像形成装置がダイレクト印刷を実行可能な状態にあるか否かを判別する状態判別手段と、印刷設定の変更の指示を検出する検出手段と、状態判別手段により、画像形成装置がダイレクト印刷を実行不能な状態にあると判別されている際に検出手段によって印刷設定の変更の指示が検出された場合には、指示によって変更された印刷設定を現在の印刷設定に反映させるとともに恒久設定として保存し、状態判別手段により、画像形成装置がダイレクト印刷を実行可能な状態にあると判別されている際に検出手段によって印刷設定の変更の指示が検出された場合には、指示によって変更された印刷設定を恒久設定として保存せずに現在の印刷設定に反映させる設定変更手段と、ダイレクト印刷の実行指示があると、現在の印刷設定に従ってダイレクト印刷を実行する印刷実行手段と、画像形成装置がダイレクト印刷を実行可能な状態から実行不能な状態になると、恒久設定で現在の印刷設定を更新する設定復帰手段とを有することを特徴とする画像形成装置によって達成される。
【手続補正３】
【補正対象書類名】明細書
【補正対象項目名】００１１
【補正方法】変更
【補正の内容】
【００１１】
また、上述の目的は、印刷設定に従ったダイレクト印刷を行う機能を有する画像形成装置の制御方法であって、画像形成装置がダイレクト印刷を実行可能な状態にあるか否かを判別する状態判別工程と、印刷設定の変更の指示を検出する検出工程と、状態判別工程により、画像形成装置がダイレクト印刷を実行不能な状態にあると判別されている際に検出工程によって印刷設定の変更の指示が検出された場合には、指示によって変更された印刷設定を現在の印刷設定に反映させるとともに恒久設定として保存し、状態判別工程により、画像形成装置がダイレクト印刷を実行可能な状態にあると判別されている際に検出工程により印刷設定の変更の指示が検出された場合には、指示によって変更された印刷設定を恒久設定として保存せずに現在の印刷設定に反映させる設定変更工程と、ダイレクト印刷の実行指示があると、現在の印刷設定に従ってダイレクト印刷を実行する印刷実行工程と、画像形成装置がダイレクト印刷を実行可能な状態から実行不能な状態になると、恒久設定で現在の印刷設定を更新する設定復帰工程とを有することを特徴とする画像形成装置の制御方法によっても達成される。